(57)【特許請求の範囲】
【請求項１】
エアゾール式容器体(2)の上部からステム(8)を起立するとともに、このステムの上端に、前方開口のノズル(46)付き押下げ部材(30)を付設し、
この押下げ部材(30)の上面に左右巾広のストッパ(50)を前後への摺動自在に取付け、
かつ上記エアゾール式容器体(2)の上部に下端部を嵌合した有頂のカバー筒(10)を設けて、このカバー筒の周壁前部に射出窓(18)を、カバー筒の筒壁(12)後部から頂壁(14)前部に亘って切割り(16)をそれぞれ穿設するとともに、
この切割りの頂壁部分左右両縁から押下げ部材(30)の左右両側へ一対の係合板(20)を垂設し、各係合板(20)が有する下向きの端面の一部を、このストッパ(50)との係合用の受面(28)としてなり、上記押下げ部材(30)を押し下げた状態で、上記ストッパ(50)を、上記受面(28)から離れた非ロック位置から、上記受面(28)にストッパの左右両端部上面が係合するロック位置へ前進させることで、上記押下げ状態を維持できるようにしたガス抜き可能なエアゾール容器において、
上記各係合板(20)は、その係合板(20)の下端から上方へ伸びる下端開口の切欠き(24)を有し、これら切欠き(24)の前部に比べて後部を短く上方へ延長して、この延長部分(26)内に上記ストッパ(50)の左右両側部を挿入するとともに、上記切欠き(24)の後部上端部との間に段差を存して低く設けた切欠き(24)の前部上端部を、上記受面(28)としたことを特徴とするガス抜き可能なエアゾール容器。
【請求項２】
上記ストッパ(50)と押下げ部材(30)との各対向面の間に、このストッパの前後摺動自在に当該ストッパを抜止めする係合手段(48,54)を形成したことを特徴とする、請求項１記載のガス抜き可能なエアゾール容器。
【請求項３】
上記ストッパ下方の押下げ部材上面部分にガス抜き操作に関する標識(Ａ)を設け、上記ストッパ(50)を前方へ移動したときに当該標識が表れるようにしたことを特徴とする、請求項１又は請求項２に記載のガス抜き可能なエアゾール容器。
【請求項４】
上記押下げ部材(30)の側面前部を上記係合板(20)に枢着するとともに、上記ストッパ(50)を押下げ部材(30)の頂壁後部に設置し、ストッパ(50)を介して押下げ部材(30)の後部を押し下げた後に、そのままストッパ(50)を前方にスライドすることで受面(28)と係合させることができるようにしたことを特徴とする、請求項１乃至請求項３の何れかに記載のガス抜き可能なエアゾール容器。
【発明の詳細な説明】
【技術分野】
【０００１】
本発明は、ガス抜き可能なエアゾール容器に関する。
【背景技術】
【０００２】
この種容器として、ステムを起立するエアゾール式容器体と、前記ステムに付設した押下げ部材と、上記容器体の上部に嵌合させたカバー筒とからなり、このカバー筒の外面に一体成形した小さな治具を切り取って、押し下げた状態の押下げ部材とカバー筒との間に上記治具を架け渡して固定することができるように設けたものが知られている（特許文献１）。
【０００３】
また、ステムを起立するエアゾール式容器体と、この容器体の底部に取り付けた有頂の脚筒とからなり、この脚筒を外して容器体の上部に再嵌合すると、ステムの押下げ状態を保持することができるように構成したものも知られている（特許文献２）。
【特許文献１】特開2006−027719号
【特許文献２】特開2005−350131号
【発明の開示】
【発明が解決しようとする課題】
【０００４】
特許文献１の容器では、容器体の外面から治具を切り取って、また特許文献２では容器体の底部から脚筒を取り外して、それぞれ所定位置に取り付けなければならないので、ガス抜き作業が面倒であった。
【０００５】
また、特許文献１では、押下げ部材を押し続けた状態で押下げ部材とカバー筒との間に比較的小さな治具を取り付ける細かい作業をしなければならない。例えば手先の器用でない高齢者の場合には、そうした作業に手間取る場合が少なくなく、そうすると、噴出されたガスを吸い込むおそれがあった。更に特許文献２では、容器体の上部に脚筒を再嵌合する際に、脚筒の頂板中央の開口から吹き出すガスが利用者の手に付着する可能性があった。
本発明は、簡単な操作で迅速かつ手を汚さずにガス抜きの作業を行うことができるガス抜き可能なエアゾール容器を提供することを目的とする。
【課題を解決するための手段】
【０００６】
第１の手段は、エアゾール式容器体２の上部からステム８を起立するとともに、このステムの上端に、前方開口のノズル４６付き押下げ部材３０を付設し、
この押下げ部材３０の上面に左右巾広のストッパ５０を前後への摺動自在に取付け、
かつ上記エアゾール式容器体２の上部に下端部を嵌合した有頂のカバー筒１０を設けて、このカバー筒の周壁前部に射出窓１８を、カバー筒の筒壁１２後部から頂壁１４前部に亘って切割り１６をそれぞれ穿設するとともに、
この切割りの頂壁部分左右両縁から押下げ部材３０の左右両側へ一対の係合板20を垂設し、各係合板２０が有する下向きの端面の一部を、このストッパ５０との係合用の受面２８としてなり、上記押下げ部材３０を押し下げた状態で、上記ストッパ５０を、上記受面２８から離れた非ロック位置から、上記受面２８にストッパの左右両端部上面が係合するロック位置へ前進させることで、上記押下げ状態を維持できるようにしたガス抜き可能なエアゾール容器において、
上記各係合板２０は、その係合板２０の下端から上方へ伸びる下端開口の切欠き２４を有し、これら切欠き２４の前部に比べて後部を短く上方へ延長して、この延長部分２６内に上記ストッパ５０の左右両側部を挿入するとともに、上記切欠き２４の後部上端部との間に段差を存して低く設けた切欠き２４の前部上端部を、上記受面２８とした。
【０００７】
本手段では、前後に長い押下げ部材の左右両側に一対の係合板を設け、この係合板に対してストッパを介して押下げ部材を押下げ位置にロックし、ガス抜きをするように設けたエアゾール容器を提案している。
【０００８】
「エアゾール式容器体」は、ステムを垂直に押し下げることで噴出するタイプ、或いはステムが後方側へ傾斜することでエアゾールを噴出するチルトタイプの何れでも良い。第１の手段中、「押下げ部材を…押し下げた状態」とは、押下げ部材全体を押し下げた状態の他に、ステムを後方へ傾けるように押下げ部材の後部を押し下げた状態を含むものとする。
【０００９】
「係合板」は、ストッパを介して、押下げ状態の押下げ部材を原位置復元力に抗して押下げ位置に留める押え部（好ましくは押え板）の機能を有する。後述の好適な例では、エアゾール容器体の上部に嵌合したカバー筒の頂壁から両係合板を垂下させている。
【００１０】
「受面」としては、後述の如く、係合板の一部に切欠きを穿設してその上端面で形成するとよい。ストッパは、上面後部に設置すると、操作が容易である。
【００１１】
「押下げ部材」は、ノズル付きの押下げヘッドとしての機能を有し、更にステムのロック位置と非ロック位置との間でストッパを摺動できるようにするため、前後方向に長く形成している。
【００１３】
また本手段では、係合板の受面と押下げ部材との間へ挿入されたストッパが、他物との接触により離脱することを防止するためのカバー筒を提案している。このカバー筒には、指を入れて押下げ部材を操作するための切割りを穿設することで、カバー筒を外さずにストッパをロック位置にスライドさせることができるようにしている。もっともカバー筒を外して、ストッパをロック位置にセットし、カバー筒を容器体上部へ再嵌合させても良いことは言うまでもない。そうした方がストッパを確実にロック位置にセットすることができ、またガス抜き作業をしたことが利用者にとって明確となる。
【００１４】
第２の手段は、第１の手段を有し、かつ上記ストッパ５０と押下げ部材３０との各対向面の間に、このストッパの前後摺動自在に当該ストッパを抜止めする係合手段４８、５４を形成している。
【００１５】
例えばこれら係合手段のうち一方を係合凹溝に、他方を係合凸部に形成することができる。
【００１８】
第３の手段は、第１の手段又は第２の手段を有し、かつ
上記ストッパ下方の押下げ部材上面部分にガス抜き操作に関する標識Ａを設け、上記ストッパ５０を前方へ移動したときに当該標識が表れるようにしている。
【００１９】
本手段においては、更に、上記両係合板を、上方から見て、後端部側が離れるテーパ形に配置するとともに、上記押下げ部材を、両係合板の配置に対応して、前端側から後端部へ徐々に左右巾広となるように形成するとよい。この構成とすることで、ガス抜き操作の標識のスペースを十分に取ることができる。
【００２０】
第４の手段は、第１の手段乃至第３の手段何れかを有し、かつ上記押下げ部材３０の側面前部を上記係合板２０に枢着するとともに、上記ストッパ５０を押下げ部材３０の頂壁後部に設置し、ストッパ５０を介して押下げ部材３０の後部を押し下げた後に、そのままストッパ５０を前方にスライドすることで受面２８と係合させることができるようにしている。
【発明の効果】
【００２１】
第１の手段に係る発明によれば次の効果を奏する。
○指でストッパ５０を介して押下げ部材３０を押し下げた後に、ストッパ５０を前方へスライドするだけで、押下げ部材の押下げ状態を保持できるから、高齢者の如く指先が器用でない利用者にとっても容易にかつ短時間でガス抜きのための作業を行うことができる。
○上記ストッパ５０の操作は後方から指で行うことができ、その際に液体は前方へ噴出されるから、利用者の身体にエアゾール液が付着することを防止することができる。
○ストッパ５０は、前後方向への摺動自在であるから、通常の使用の際にストッパを誤って前進させてしまっても容易に元の位置に戻すことができる。
【００２２】
また第１の手段に係る発明によれば、次の効果を奏する。
○エアゾール式容器体の上部にカバー筒１０を設けたから、他物がストッパ５０に触れてガス抜き状態が途中で解除されることを防止できる。
○カバー筒１０には切割り１６を穿設したから、カバー筒を外さずにストッパをロック位置へ移動させることができる。
【００２３】
さらに第１の手段に係る発明によれば、ストッパ５０の左右両側部を切欠き２４の上方への延長部分２６内に挿入したから、ストッパ５０の左右巾を大きくとることができることができ、ガス抜き作業のためにストッパ５０を前方移動させたときに係合板２０との係合を確実なものとすることができる。
【００２４】
また第２の手段に係る発明によれば、上記ストッパ５０と押下げ部材３０との各対向面の間に係合手段４８、５４を形成したから、容器体からのストッパ５０の不意の抜け出しを防止することができる。
【００２５】
第３の手段に係る発明によれば、上記ストッパ下方の押下げ部材上面部分にガス抜き操作に関する標識Ａを設け、上記ストッパ５０を前方へ移動したときに当該標識が表れるようにしたから、利用者にとっては容器の廃棄時にガス抜き操作を失念することを防止することができ、また、ゴミ回収業者にとっては、安心して回収業務を行うことができる。
【００２６】
第４の手段に係る発明によれば、上記エアゾール式容器体２を、上記ステム８を後方へ傾斜させることでエアゾールを噴出するタイプのエアゾール式容器体としたから、ストッパ５０を介して押下げ部材３０の後部を指で押し下げた後に、そのままストッパ５０を前方にスライドすることで受面２８と係合させることができるから、押下げ部材の押下げとストッパのスライドとを連続して行うことができ、操作が容易である。
【発明を実施するための最良の形態】
【００２７】
本発明に係るエアゾール容器は、エアゾール式容器体２と、カバー筒１０と、押下げ部材３０と、ストッパ５０とで構成されている。容器体を除く各部材は合成樹脂材で形成することができる。
【００２８】
エアゾール式容器体２は、胴部４上端に係合溝６を周設し、この係合溝から肩部を介して隆起する上端部より、ステム８を上方付勢状態で起立している。
【００２９】
カバー筒１０は、有頂筒形であり、その筒壁１２の下端部を上記係合溝６に着脱自在に係合するとともに、筒壁１２の後壁部上半から頂壁１４の前部に亘る部分に切割り１６を、また筒壁１２の前壁部上部分に射出窓１８をそれぞれ穿設している。上記頂壁側の切割り１６部分は、前端部が巾狭となる左右対称のテーパ状（ハの字状）に形成しており、少なくともこの切割り部分の左右縁部から、一対の係合板（係止片）２０、２０を垂下している。尚、図示の例では、上記切割り部分左右縁部の、カバー筒前壁への延長線Ｐに沿って、各係合板を前方へ延長している。また、頂壁側の切割り部分前部からは、両端部を係合板に連続させた連結壁２２を垂下している。更にまた、筒壁側の切割り部分は、その下端部が上記押下げ部材の上面と押下げ部材の下端との間に位置するように設計している。
【００３０】
上記各係合板２０は、その後部の対向箇所に、下端部から上方に伸びるほぼ長方形の切欠き２４を有している。この切欠きの後部は、前部に比べて後述のストッパの厚さに対応する巾だけ上方へ延長させて、延長部分２６を形成している。この場合には、切欠き２４の上縁は、図示の通り上縁後部に比べて上縁前部が低くなる。この上縁前部の下面で後述のストッパとの係合用の受面２８が形成される。
【００３１】
押下げ部材３０は、上記ステム８上端に嵌着させた取付け筒３２の上端から前後方向に平坦な頂壁３４を延出している。この頂壁３４の前後上端からは、前壁３６及び後壁３８を、また頂壁３４の左右側端からは、側壁４０を垂設させている。また、図２に示す如く上記頂壁３４の下面に沿って上記取付け筒３２から押下げ部材３０の前壁へ射出管４４を形成しており、この射出管と連通して、上記押下げ部材前壁３６の上部にノズル４６を開口している。
【００３２】
上記頂壁３４は、図２に示す如く前端部に比べて後端部が左右幅広となった左右対称である。また頂壁の後縁はカバー筒１０の周壁後部に沿って円弧状となっている。頂壁の後部には、左右中間位置に第１係合手段４８として係合溝を形成している。この係合溝の左右両側中間部は内方に括れており、係合溝の前半部及び後半部の一方から他方へ後述の筒状の係合筒がスナップ嵌合するように形成している。上記前壁３６は、下端部がやや前方に張りだしており、カバー筒の前壁内面に弾接されている。また、上記頂壁３４の上面の後半部分は、後述のストッパが摺動するためのスライド面としている。
【００３３】
上記後壁３８は、上記カバー筒の筒壁後部との間に押下げ部材傾動用の間隙Ｓを有する。
【００３４】
上記側壁４０は、図１に示す如く後端部から前端部の近くまでは徐々に垂下長（上下巾）が短くなり、逆に前端部では、押下げ部材３０の前壁３６の左右両縁に沿って当該前壁の下部へ延びている。この側壁４０の前端部は、補強壁４０ａとして前壁３６と直角に連結している。この補強壁４０ａの下端部を、前記係合板２０に枢着し、この枢着軸４２を中心として押下げ部材が回動するように設けている。
【００３５】
ストッパ５０は、左右に長いストッパ板５２と、第２係合手段５４で形成されている。この第２係合手段は、ストッパ板５２の下面左右中間部から垂下した下端帽状の係合筒として形成している。この係合筒を溝状の第１係合手段４８内に嵌合することで、ストッパ５０を押下げ部材３０に装着している。また、ストッパ板５２は、押下げ部材３０の左右両端よりも側外方に延びており、ストッパ板５２の左右両端部を上記係合板２０の切欠き延長部分２６内に挿入させている。
【００３６】
上述各部材の構造に関して更に補足すると、上記切欠き２４の上縁２４ａ前部は、ステムの下限位置での押下げ部材の上面の高さにストッパ板の厚さを加えた高さと略等高とすれば良い。また、図３に示す如く上記ストッパ板５２の後端部下方の押下げ部材上面部分には、「ガス抜き作業済」などの標識Ａを印刷しておき、ステムの前方移動により表れるように設けると良い。
【００３７】
上記構成において、通常の使用の際には、ストッパ５０を介して押下げ部材３０の後部を押し下げれば良く、枢着軸４２を中心として押下げ部材が回動し、ステム８が押し下げられてエアゾールが噴出される。容器を廃棄する際には、ストッパ５０で押し下げてエアゾールを噴出させた後に、ストッパ５０を前方にスライドさせ、図５の如く切欠き２４の上縁前部に形成する受面２８と押下げ部材３０の頂壁との間にストッパ５０を挟ませる。ステム８を下限位置にロックし、手を放してもガス噴出が継続される。またストッパ５０の前方移動により、「ガス抜き作業済」の標識が表れ、ガス抜き作業をしたことが明確となる。
【図面の簡単な説明】
【００３８】
【図１】本発明の容器の一部切欠き側面図である。
【図２】図１容器の要部縦断側面図である。
【図３】図１容器の上面図である。
【図４】図１容器の要部斜視図である。
【図５】図１容器の作用説明図である。
【符号の説明】
【００３９】
２…エアゾール式容器体 ４…胴部 ６…係合溝 ８…ステム 
１０…カバー筒 １２…筒壁 １４…頂壁 １６…切割り １８…射出窓
２０…係合板 ２２…連結壁 ２４…切欠き ２６…延長部分 ２８…受面
３０…押下げ部材 ３２…取付け筒 ３４…頂壁 
３６…前壁 ３８…後壁 
４０…側壁 ４２…枢着軸 ４４…射出管 ４６…ノズル ４８…第1係合手段 
５０…ストッパ ５２…ストッパ板 ５４…第２係合手段 
Ａ…標識
【図１】
0004798616.tif 000002
【図２】
0004798616.tif 000003
【図３】
0004798616.tif 000004
【図４】
0004798616.tif 000005
【図５】
0004798616.tif 000006